【事件の表示】
　特願２００３−１１８０３５「パチンコ機」拒絶査定不服審判事件〔平成１６年１１月１８日出願公開、特開２００４−３２１３５８〕について、次のとおり審決する。
【結　論】
　本件審判の請求は、成り立たない。
【理　由】
１．手続の経緯　
　本願は、平成１５年４月２３日の出願であって、拒絶理由通知に対応して平成２１年８月２８日に手続補正書が提出され、その後なされた拒絶査定に対し、平成２２年１月２５日に拒絶査定不服審判が請求されるとともに、同日に手続補正（以下「本件補正」という。）がなされたものである。　
　また、当審において、平成２２年８月２日付けで審査官による前置報告書の内容を添付して審尋を行い、請求人から同年９月８日に回答書が提出されている。　
　
２．補正後の本願発明　
　本願の請求項１に係る発明（以下「本願発明」という。）は、平成２２年１月２５日付手続補正書の特許請求の範囲の請求項１に記載された事項により特定される。以下のとおりのものである。
「パチンコ機本体の裏面側に配設される機構枠体に着脱可能とされ、前記機構枠体に設けられた払出制御基板と電気的に接続された配線に接続されて、球導入通路から球払出通路に導入される遊技球を球払出手段により所定の条件に基づいて球排出通路へ払い出す球払出装置を備えると共に、前記配線が前記球払出装置の上方に引き回されたパチンコ機であって、
　前記球払出装置に設けられた係合部と、
　前記機構枠体に設けられ、取付面にセットされた前記球払出装置が前記取付面の面方向に沿ってスライドされることにより前記係合部が係合及び離脱可能とされその係合状態においては前記球払出通路を前記球導入通路及び前記球排出通路と連通する位置に配置させる被係合部と、
　前記取付面にセットされた前記球払出装置の下方に設けられ、前記球払出装置をスライド可能とする第１位置及び前記係合部が前記被係合部に係合した状態で球払出装置に当接し離脱方向へスライド不能とする第２位置に移動可能な固定手段と、
　を有し、
　前記固定手段は、前記機構枠体の上下に設けられた軸部回りに回動可能に取り付けられた回動部材とされていることを特徴とするパチンコ機。」
　
３．補正要件（目的）の検討　
　補正後の請求項１は、補正前の請求項１を引用する請求項２を独立請求項としたものであり、補正後の請求項２〜４は、それぞれ補正前の請求項３〜５に対応するものであるから、本件補正は補正前の請求項１を削除するものである。
　
　したがって、本件補正は、平成１８年法律第５５号による改正前の特許法（以下「改正前特許法」という。）第１７条の２第４項第１号に該当する。　　　　　　　　　　　　　　
４．引用刊行物記載事項
　原査定の拒絶の理由に引用された、特開２０００―１３５３５４号公報（以下「引用文献１」という。）には、図面とともに、以下の記載がある。
【００１１】前記機構板５は、遊技盤４の裏面に相対する板状部５ａを有し、該板状部５ａの裏面上部に球タンク６が固着されている。球タンク６の下方には、該球タンク６に貯留されたパチンコ球を下流側に整列して流下させる誘導通路７が設けられている。また、該誘導通路７の下流側には球止装置８を介してパチンコ球払出装置９が設けられており、その下方には、払い出されたパチンコ球を図示しない前面枠２の前面の打球供給皿に導く排出通路１０と、打球供給皿の余剰球を下部球皿に導く余剰球通路１１が形成されている。１２は球タンク６内のパチンコ球を球抜きをするための球抜き通路である。
【００１３】前記パチンコ球払出装置９は、図４及び図５に示すように直方体状のケーシング１７を有し、その内部に前記誘導通路７の２条の球通路１８，１８にそれぞれ連なる球供給路１９，１９が形成されており、各球供給路１９，１９内にステッピングモータ２０によって回転される一対のスプロケット２１，２１の外周一部を臨ませている。そして、前記ステッピングモータ２０の回転でスプロケット２１，２１を回転させることにより各球供給路１９，１９に供給されるパチンコ球を排出通路１０へ払い出すようになっている。
【００１４】一方、前記誘導通路７の下方に位置した板状部５ａには図２及び図３に示すように、パチンコ球払出装置９を所定の位置に正確に位置づけるためにケーシング１７より上下方向にやや大きい面積を有する凹窪状の取付部２２が形成され、その取付部２２の奥部に前記ケーシング１７の前面四隅部に設けられた係合突部２３を係合し得る係合規制部２４が突設されている。このため、ケーシング１７の前面を取付部２２の奥部に当てがって係合突部２３を係合規制部２４に臨ませ、この状態でケーシング１７を上方にスライドさせて係合突部２３と係合規制部２４とを互いに係合させることにより、パチンコ球払出装置９を取付部２２に着脱自在に取着できるようになっている。なお、前記球止装置８は、パチンコ球払出装置９を取付部２２に取着することにより、これのケーシング１７の上面で上方へ押圧されて球通路１８，１８と球供給路１９，１９とを連通状とし、パチンコ球払出装置９を取外すと弾発力により下方に回動して球通路１８，１８を閉じパチンコ球の落下を阻止するようになっている。
【００１５】しかして、前記パチンコ球払出装置９の下方に位置した取付部２２にはロック部材２５が設けられている。このロック部材２５は図６に示す立体形とし、これの両側のほぼ上下中間位置に突設した軸２６，２６によって図４に示すパチンコ球払出装置９の固定保持位置と図５に示す固定解除位置とに回動自在に軸支されている。そして、この固定保持位置においてその前面がカバー部としてパチンコ球払出装置９と排出通路１０との間の隙間を塞いで排出通路１０の一部通路壁を兼用し得る大きさに形成されている。
【００２１】次に、図７及び図８を参照して他の実施の形態に係るロック部材２５Ａについて説明する。この実施の形態におけるロック部材２５Ａは、パチンコ球払出装置９と排出通路１０との間の隙間を塞ぐ大きさの扉板形状として機構板５ａと一体に形成されると共に、薄肉状のヒンジ部３３によって水平方向へ回動可能なように形成されており、その上端テーパー面の上縁部分がパチンコ球払出装置９の下面に接触係合する係止部３４となっている。
【００２２】そして、図８に示すようにロック部材２５Ａを回動して係止部３４をパチンコ球払出装置９の下面に接触係合させると共に、ロック部材２５Ａの弾性爪片３５を機構板５側に設けられた係合受部３６に嵌めて止着することにより、パチンコ球払出装置９を容易に固定保持することができる。尚このとき係止部３４に働く荷重はロック部材２５Ａの固定解除方向と異なる方向となっている。また、ロック部材２５Ａによってパチンコ球払出装置９と排出通路１０との間の隙間を塞いで払出されるパチンコ球を排出通路１０へ確実に導くことができる。一方パチンコ球払出装置９を取外す場合は、図７のようにロック部材２５Ａを手前方向に回動してロック部材２５Ａの係止部３４とパチンコ球払出装置９の下面との接触係合を解除することによって容易に取外すことができる。このとき、ロック部材２５Ａはヒンジ部３３によりロック部材２５Ａがパチンコ球払出装置９の取付部２２を開放する位置に保持されるようになっているためパチンコ球払出装置９の着脱を容易に行うことができる。なお、この実施の形態の場合、パチンコ球払出装置９の取付部２２を含むロック部材２５Ａを、例えばＰＰ（ポリプロピレン）樹脂により機構板５ａと別体に形成し、ビス止め等の手段により一体化するとよい。以上説明はロック部材をパチンコ球払出装置９の下方に設けた場合のものであるが、これが上方に設けられた場合であってもよい。
【００２３】
【発明の効果】以上説明したところから明らかなように、本発明に係るパチンコ遊技機におけるパチンコ球払出装置の取付構造によれば、ロック部材の回動によってパチンコ球払出装置を確固と固定保持すると共に、該パチンコ球払出装置と排出通路との間の隙間を塞いで払出されるパチンコ球を確実に排出通路へ導くようにしたものであるから、従来のようにパチンコ球払出装置を固定保持するためのロック部材と、該パチンコ球払出装置から払出されるパチンコ球が外へこぼれ落ちないようにするためのカバー部材とを別々に設ける必要がなくなり、部品点数を削減してコストダウンを図ることができると共に、作業能率を向上することができる。
　
　摘記した上記の記載や図面等によれば、引用文献１には、　
「機構板５は、遊技盤４の裏面に相対する板状部５ａを有し、該板状部５ａの裏面上部に球タンク６が固着されており、前記球タンク６の下方には、前記球タンク６に貯留されたパチンコ球を下流側に整列して流下させる誘導通路７が設けられて、前記誘導通路７の下流側には球止装置８を介してパチンコ球払出装置９が設けられ、その下方には、払い出されたパチンコ球を前面枠２の前面の打球供給皿に導く排出通路１０が形成されており、
　前記パチンコ球払出装置９は、ケーシング１７を有し、その内部に前記誘導通路７の２条の球通路１８，１８にそれぞれ連なる球供給路１９，１９が形成されており、各前記球供給路１９，１９内にステッピングモータ２０によって回転される一対のスプロケット２１，２１の外周一部を臨ませ、前記ステッピングモータ２０の回転で前記スプロケット２１，２１を回転させることにより各前記球供給路１９，１９に供給されるパチンコ球を前記排出通路１０へ払い出すようになっており、
　前記板状部５ａには、前記パチンコ球払出装置９を所定の位置に正確に位置づけるための凹窪状の取付部２２が形成され、その取付部２２の奥部に前記ケーシング１７の前面四隅部に設けられた係合突部２３を係合し得る係合規制部２４が突設される構成となっており、
　この構成により、前記ケーシング１７の前面を前記取付部２２の奥部に当てがって前記係合突部２３を前記係合規制部２４に臨ませ、この状態で前記ケーシング１７を上方にスライドさせて前記係合突部２３と前記係合規制部２４とを互いに係合させることにより、前記パチンコ球払出装置９を前記取付部２２に着脱自在に取着できるようになっており、
　ロック部材２５Ａは、扉板形状として前記機構板５ａと一体に形成されると共に、薄肉状のヒンジ部３３によって水平方向へ回動可能なように形成されており、その上端テーパー面の上縁部分が前記パチンコ球払出装置９の下面に接触係合する係止部３４となっており、
　前記パチンコ球払出装置９の固定保持は、前記ロック部材２５Ａを回動して前記係止部３４を前記パチンコ球払出装置９の下面に接触係合させると共に、前記ロック部材２５Ａの弾性爪片３５を前記機構板５側に設けられた係合受部３６に嵌めて止着することにより行われる、パチンコ遊技機。」の発明（以下「引用発明１」という。）が開示されていると認められる。　
　
５．引用発明１と本願発明との対比　
　そこで、本願発明と引用発明１とを比較すると、　
引用発明１の「遊技盤４の裏面」は、本願発明の「パチンコ機本体の裏側」に相当し、以下同様に、
「取付部２２」は「機構枠体」に、
「誘導通路７」は「球導入通路」に、
「球供給路１９」は「球払出通路」に、
「パチンコ球」は「遊技球」に、
「排出通路１０」は「球排出通路」に、
「パチンコ払出装置９」は「球払出装置」に、
「パチンコ遊技機」は「パチンコ機」に、
「係合突起２３」は「係合部」に、
「取付部２２の奥部」は「取付面」に、
「前記ケーシング１７の前面を前記取付部２２の奥部に当てがって前記係合突部２３を前記係合規制部２４に臨ませ、この状態で前記ケーシング１７を上方にスライドさせて前記係合突部２３と前記係合規制部２４とを互いに係合させることにより、前記パチンコ球払出装置９を前記取付部２２に着脱自在に取着できるようになって」は「前記機構枠体に設けられ、取付面にセットされた前記球払出装置が前記取付面の面方向に沿ってスライドされることにより前記係合部が係合及び離脱可能とされ」に、
「係合規制部２４」は「被係合部」に、
「ロック部材２５Ａ」は「固定手段」に、各々相当する。　
さらに、引用文献１の記載等からみて、以下のことが言える。　
　　
ａ．引用発明１の「取付部２２」と「パチンコ球払出装置９」は、「係合突起２３」と「係合規制部２４」との係合により着脱自在となっており、かつ、「取付部２２」は、遊技盤の裏側に相対する位置に設けられていることは明らかである。
　また、引用発明１は、遊技盤の裏側に相対する板状部５ａの上部に球タンク６が固着され、球タンク６の下方に下流側に誘導通路７が、その誘導路７のさらに下流側にパチンコ球払出装置９が設けられ、パチンコ球払出装置９から排出通路１０にパチンコ球を導くように形成されており、また、パチンコ機の技術常識を勘案すれば、パチンコ球を貸し出しするときやパチンコ遊技盤上に設けられた賞球口にパチンコ球が入賞したときなど所定の条件に基づいて、パチンコ球をパチンコ球払出装置から排出通路１０へ導出することは、自明である。
　さらに、引用発明１の「パチンコ球払出装置９」にはステッピングモータ２０を有し、ステッピングモータ２０の回転によって、パチンコ球をパチンコ球払出装置から排出通路１０へ導出するものであるから、引用発明１が、ステッピングモータ２０の回転を制御するために、ステッピングモータ２０と電気的に接続される本願発明の「払出制御基板」に相当する構成を有することは自明である。
　以上のことから、引用発明１と本願発明とは、「パチンコ機本体の裏面側に配設される機構枠体に着脱可能とされ、前記機構枠体に設けられた払出制御基板と電気的に接続され、球導入通路から球払出通路に導入される遊技球を球払出手段により所定の条件に基づいて球排出通路へ払い出す球払出装置」を有する点で共通する
ｂ．引用発明１の「ロック部材２５Ａ」の「係止部３４」は「パチンコ球払出装置９の下面に接触係合する」のであるから、「ロック部材２５Ａ」は「パチンコ球払出装置９」の下方に設けられていることは明らかである。
ｃ．引用発明１は、「ケーシング１７を上方にスライドさせて係合突部２３と係合規制部２４とを互いに係合させて、パチンコ球払出装置９を取付部２２に着脱自在に取着できる」ことから、「パチンコ球払出装置９」と「取付部２２」との係合の解除は、ケーシング１７を下方にスライドさせて行われるものであることは明らかである。
　また、「パチンコ球払出装置９の固定保持は、ロック部材２５Ａを回動して係止部３４をパチンコ球払出装置９の下面に接触係合させると共に、ロック部材２５Ａの弾性爪片３５を機構板５側に設けられた係合受部３６に嵌めて止着することにより行われる」ことから、「ロック部材２５Ａ」の「係止部３４」が「パチンコ球払出装置９の下面に接触係合」していない状態では、「パチンコ球払出装置９」の「ケーシング１７」を「取付部２２」に対して、上下にスライド可能な状態であることは自明である。
　よって、引用発明１において、「ロック部材２５Ａ」の「係止部３４」が「パチンコ球払出装置９の下面に接触係合」していない状態は、本願発明における「第１の位置」に相当し、引用発明１において、「ロック部材２５Ａ」の「係止部３４」が「パチンコ球払出装置９の下面に接触係合」している状態は、本願発明における「第２の位置」に相当するので、引用発明１と本願発明とは、「前記取付面にセットされた前記球払出装置の下方に設けられ、前記球払出装置をスライド可能とする第１位置及び前記係合部が前記被係合部に係合した状態で球払出装置に当接し離脱方向へスライド不能とする第２位置に移動可能な固定手段」を備えている点で共通する。
ｄ．引用発明１は、「ロック部材２５Ａは、扉板形状として機構板５ａと一体に形成されると共に、薄肉状のヒンジ部３３によって水平方向へ回動可能なように形成され」ており、この構成によって、「ロック部材２５Ａを回動して係止部３４をパチンコ球払出装置９の下面に接触係合させる」ものであるから、「ヒンジ部３３」は、本願発明の「軸部」に相当し、「前記機構枠体の上下に設けられた」点は別にして、引用発明１と本願発明とは、「前記固定手段は、軸部回りに回動可能に取り付けられた回動部材とされている」点で共通する。
　
　以上を総合すると、両者は、　
「パチンコ機本体の裏面側に配設される機構枠体に着脱可能とされ、前記機構枠体に設けられた払出制御基板と電気的に接続されて、球導入通路から球払出通路に導入される遊技球を球払出手段により所定の条件に基づいて球排出通路へ払い出す球払出装置を備えるパチンコ機であって、
　前記球払出装置に設けられた係合部と、
　前記機構枠体に設けられ、取付面にセットされた前記球払出装置が前記取付面の面方向に沿ってスライドされることにより前記係合部が係合及び離脱可能とされその係合状態においては前記球払出通路を前記球導入通路及び前記球排出通路と連通する位置に配置させる被係合部と、
　前記取付面にセットされた前記球払出装置の下方に設けられ、前記球払出装置をスライド可能とする第１位置及び前記係合部が前記被係合部に係合した状態で球払出装置に当接し離脱方向へスライド不能とする第２位置に移動可能な固定手段と、
　を有し、
　前記固定手段は、軸部回りに回動可能に取り付けられた回動部材とされているパチンコ機。」の点で一致し、以下の点で相違している。　
　
［相違点１］
　本願発明は、「払出装置」と「パチンコ球払出９」とを配線により電気的に接続され、かつ「配線が前記球払出装置の上方に引き回され」ているのに対し、引用発明１は、「払出制御基板」と「パチンコ球払出装置９」とが電気的にどのように接続されているのかが明らかではない点。
［相違点２］
　本願発明は、「前記固定手段は、前記機構枠体の上下に設けられた軸部回りに回動可能に取り付けられた回動部材とされている」のに対し、引用発明１は、本願発明と「前記固定手段は、軸部回りに回動可能に取り付けられた回動部材とされている」点で一致するものの、「軸部」が「ヒンジ部３３」により構成されているため、「ロック部材２５Ａ」（本願発明の「固定手段」に相当）の回動が上下に設けられた軸部によるものではない点。
　
６．相違点の検討及び判断　
［相違点１について］　
　本願発明は、「球払出装置」の下方が「固定手段」により、「球払出装置」が固定され、配線が「球払出装置」の上方に引き回されることで、「配線」を「固定手段」で挟み込むことがなくなる効果を奏するものであるが、一般に、装置の下方を固定し、上方から配線を引き回す技術は、例えば、特開２００３―１０３８４号公報（特に、段落【００６０】〜【００６２】、図５参照）、実願昭６０−１５６１８号（実開昭６１−１３２６７３号）のマイクロフィルム（特に、第６頁第５行〜第７頁、図１参照）に記載されているとおり、従来周知の技術（以下「周知技術」という。）であるから、引用発明１において、下方が「ロック部材２５Ａ」により固定されている「パチンコ球払出装置９」に、周知技術を適用し、「パチンコ球払出装置９」の配線を上方から引き回すことは、当業者にとって格別な困難性はない。
［相違点２について］　
　引用文献１には、引用発明１として発明を認定した実施の形態（図７）とは別の実施の形態が記載されており、この別の実施の形態を説明する段落【００１５】（図４〜図６参照）には、「このロック部材２５は図６に示す立体形とし、これの両側のほぼ上下中間位置に突設した軸２６，２６によって図４に示すパチンコ球払出装置９の固定保持位置と図５に示す固定解除位置とに回動自在に軸支されている。」と記載されているので、この別の実施の形態には、「ロック部材２５」に設けられた左右に一対の「軸２６」と、この一対の「軸２６」を軸支する「機構板５」を有し、一対の「軸２６」を中心に「ロック部材２５」が回動することにより、「パチンコ球払出装置９」の固定保持位置（本願発明における「第１位置」に相当）と固定解除位置（本願発明における「第２位置」に相当）とを切り換える技術（以下「引用発明２」という。）が記載されているものと認められる。
　そして、引用発明１と引用発明２とは、いずれも「ロック部材の回動によりパチンコ球払出装置を確固と固定保持することができると共に、払い出されるパチンコ球が外へこぼれ落ちるのを防いで排出通路に確実に排出させることが可能となる」という解決しようとする課題（段落【０００９】、【００１８】〜【００１９】、【００２２】〜【００２３】等参照）が共通するので、引用発明２を引用発明１に適用して、引用発明１に相違点２に係る本願発明の構成を設けることは、当業者にとって容易になしうることである。
　
７．むすび
　本願発明は、引用発明１、２及び周知技術に基づいて、当業者が容易に発明をすることができたものであるから、特許法第２９条第２項の規定により特許を受けることができないものである。　
　そして、他の請求項に係る発明については検討するまでもなく、本願は拒絶すべきものである。
　
　よって、結論のとおり審決する。